(57)【要約】      （修正有）【課題】手作業であっても、正確な二等片三角形を半円形をしたペーパークイリングのパーツを作成できるクイリング定規を提供する。【解決手段】内部に少なくとも１個の半径ｒのくり抜き円２と、周縁部に少なくとも１個の一辺２ｒで狭角９０度の三角切り欠き部２ａと、周縁部に少なくとも１個の半径１．２ｒから１．３ｒの半円切り欠き部２ｂを設けてクイリング定規の基本形とする。例えば５０ｍｍ×５０ｍｍの２ｍｍ厚さのアクリル板中央に半径６ｍｍの円をくり抜き一辺１２ｍｍで、狭角９０度の二等辺三角形を形成出来る三角切り欠き部と半径７．５ｍｍの半円切り欠き部を作る事でクイリング定規の基本形を作成する。さらに、ｒを例えば１ｍｍ単位で変えたくり抜き円や欠き部を一枚の定規の中に納めてもよい。【選択図】図１
0003168648.tif 000002
【実用新案登録請求の範囲】
【請求項１】
内部に少なくとも１個の半径ｒのくり抜き円と、周縁部に少なくとも１個の一辺２ｒで狭角９０度の三角切り欠き部と、周縁部に少なくとも１個の半径１．２ｒから１．３ｒの半円切り欠き部を有する事を特徴とするクイリング定規。
【請求項２】
半径ｒがそれぞれ２．５ｍｍ、４ｍｍ、５ｍｍ、６ｍｍ、８ｍｍ、９ｍｍ及び１０ｍｍのくり抜き円と、周縁一辺部に前記くり抜き円と対応したそれぞれの三角切り欠き部と、周縁対向他辺部に前記くり抜き円と対応したそれぞれの半円切り欠き部とを有する事を特徴とする請求項１記載のクイリング定規。
【請求項３】
（１）半径ｒが２．５ｍｍのくり抜き円と、それに対応した三角切り欠き部と半径１．３ｒの半円切り欠き部、
（２）半径ｒが４ｍｍのくり抜き円と、それに対応した三角切り欠き部と半径１．２５ｒの半円切り欠き部、
（３）半径ｒが５ｍｍのくり抜き円と、それに対応した三角切り欠き部と半径１．２ｒの半円切り欠き部、
（４）半径ｒが６ｍｍのくり抜き円と、それに対応した三角切り抜き部と半径１．２５ｒの半円切り欠き部、
（５）半径ｒが８ｍｍのくり抜き円と、それに対応した三角切り欠き部と半径１．２５ｒの半円切り欠き部、
（６）半径ｒが９ｍｍのくり抜き円と、それに対応した三角切り欠き部と半径１．２２ｒの半円切り欠き部、及び
（７）半径ｒが１０ｍｍのくり抜き円と、それに対応した三角切り欠き部と半径１．２５ｒ  の半円切り欠き部、
とをそれぞれ有する事を特徴とする請求項２に記載のクイリング定規。
【考案の詳細な説明】
【技術分野】
【０００１】  本考案はペーパークイリングというクラフトペーパーに於ける部品をそれぞれ作成する際に、きれいな直角２等辺三角形と半円を作る事が出来るクイリング定規に関するものである。
【背景技術】
【０００２】  円のみを収納するボードは知られている（特許文献１）。
また、正三角形の形を作るクイリング定規も既に知られている（特許文献２）。
しかし、これまで２等辺三角形と半円をきれいに作成するには、手動では同じ部品を沢山作る際、形が統一せず模様のデザインを作成する時、形状の統一したものとする事が困難であった。
【先行技術文献】
【特許文献】
【０００３】
【特許文献１】  実用新案登録第３１４６９７０号公報
【特許文献２】  実用新案登録第３１５４５１９号公報
【考案の概要】
【考案が解決しようとしている課題】
【０００４】  従来、ペーパークイリングの作品を作るために手動ではきれいな直角二等辺三角形と半円を作る事は困難であったため、出来上がった作品そのものが不揃い等のため、不満があった。本考案者は直角二等辺三角形と半円よく、不揃いが解消され、きれいに作れるための課題に取り組んだ。
【課題を解決するための手段】
【０００５】  本考案の目的は、内部に少なくとも１個の半径ｒのくり抜き円と、周縁部に少なくとも１個の一辺２ｒで狭角９０度の三角切り欠き部と、周縁部に少なくとも１個の半径１．２ｒから１．３ｒの半円切り欠き部を有する事を特徴とするクイリング定規によって達成する事が出来る。
また、本考案は、半径ｒがそれぞれ２．５ｍｍ、４ｍｍ、５ｍｍ、６ｍｍ、８ｍｍ、９ｍｍ及び１０ｍｍのくり抜き円と、周辺一辺部に前記くり抜き円と対応したそれぞれの三角切り欠き部と、周縁対向他辺部に前記くり抜き円と対応したそれぞれの半円切り欠き部とを有する事を特徴とするクイリング定規を上記の好ましい態様として含む。
また、さらに本考案は、
（１）半径ｒが２．５ｍｍのくり抜き円と、それに対応した三角切り欠き部と半径１．３ｒの半円切り欠き部、
（２）半径ｒが４ｍｍのくり抜き円と、それに対応した三角切り欠き部と半径１．２５ｒの半円切り欠き部、
（３）半径ｒが５ｍｍのくり抜き円と、それに対応した三角切り欠き部と半径１．２ｒの半円切り欠き部、
（４）半径ｒが６ｍｍのくり抜き円と、それに対応した三角切り抜き部と半径１．２５ｒの半円切り欠き部、
（５）半径ｒが８ｍｍのくり抜き円と、それに対応した三角切り欠き部と半径１．２５ｒの半円切り欠き部、
（６）半径ｒが９ｍｍのくり抜き円と、それに対応した三角切り欠き部と半径１．２２ｒの半円切り欠き部、及び
（７）半径ｒが１０ｍｍのくり抜き円とそれに対応した三角切り欠き部と半径１．２５ｒの半円切り欠き部、
とをそれぞれ有する事を上記の好ましい態様として含む。
【考案の効果】
【０００６】  本考案の定規を使用することにより、今までに出来なかった均一の形状２等辺三角形、及び均一な形状の半円を作る事が可能になった。それにより、それぞれ作成した二等辺三角形や半円形の色違いをそれぞれ組み合わせる事により、新たなデザインの可能性が見つけられる。
【図面の簡単な説明】
【０００７】
【図１】  本考案の１実施例を示す正面図である。
【図２】  本考案の他の実施例を示す正面図である。
【考案を実施するための形態】
【０００８】  ペーパークイリングという作品は通常２ｍｍ巾、３ｍｍ巾、５ｍｍ巾、１０ｍｍ巾の細長く裁断した紙を作品に合わせて長さを切り、ピンやツールで巻いて、丸や楕円形、三角形、四角形等を形成する。それらの出来たパーツをのりで繋ぎ合わせて作品を作る。
【０００９】  形成にあたって、それぞれの形を同じ様な大きさに統一するため、それらを収納する形を抜いた定規が便利であり、その定規の厚さは上記の紙の巾から考え１ｍｍから５ｍｍ、好ましくは１ｍｍ〜から３ｍｍくらいまでの厚さが可能である。余り薄いと紙が収納出来ず、また、余り定規が厚すぎると上記の紙を収納した時に、沈み込み、取りにくい場合があるため、上記の紙を使用するには２ｍｍの厚さがより好ましい。
【０００１０】  また、直角二等辺三角形と半円をきれいに作るために、本考案のクイリング定規は、くり抜き円が必要であり、くり抜き円の大きさに三角切り欠き部と半円切り欠き部がそれぞれ対応している事が好ましい。本考案の定規に於いて、くり抜き円と三角切り欠き部と半円切り欠き部はすくなくとも一個、それぞれに有するものであるが、くり抜き円の半径ｒのそれぞれに対応して、三角切り欠き部と半円切り欠き部が存在しても良い。
また、くり抜き円、三角切り欠き部、半円切り欠き部も同じ大きさのものも数個存在させても良い。以下、より具体的に説明する。
【００１１】  図１について具体的に説明すると以下の様になる。
請求項１の考案によれば、内部に少なくとも１個の半径ｒのくり抜き円と、周縁部に少なくとも１個の一辺２ｒで狭角９０度の三角切り欠き部と、周縁部に少なくとも１個の半径１．２ｒから１．３ｒの半円切り欠き部を有する事を特徴とするクイリング定規であるが、例えば５０ｍｍ×５０ｍｍの２ｍｍ厚さのアクリル板中央に半径６ｍｍの円をくり抜き一辺１２ｍｍで、狭角９０度の二等辺三角形を形成出来る三角切り欠き部と半径７．５ｍｍの半円切り欠き部を作る事でクイリング定規の１形態を作成する事が出来る。
次に図２について具体的に説明すると以下の様になる。
請求項１のクイリング定規の好ましい態様は、請求項２及び３のクイリング定規であるが例えば２００ｍｍ×１００ｍｍの２ｍｍ厚さのアクリル板に半径２．５、半径４ｍｍ、半径５ｍｍ、半径６ｍｍ、半径８ｍｍ、半径９ｍｍ、及び１０ｍｍの円をくり抜き、
（１）半径ｒが２．５ｍｍのくり抜き円に対応した三角切り欠き部と半径３．２５ｍｍの半円切り欠き部、
（２）半径ｒが４ｍｍのくり抜き円に対応した三角切り欠き部と半径５ｍｍの半円切り欠き部、
（３）半径ｒが５ｍｍのくり抜き円に対応した三角切り欠き部と半径６ｍｍの半円切り欠き部、
（４）半径ｒが６ｍｍのくり抜き円に対応した三角切り抜き部と半径７．５ｍｍの半円切り欠き部、
（５）半径ｒが８ｍｍのくり抜き円に対応した三角切り欠き部と半径１０ｍｍの半円切り欠き部、
（６）半径ｒが９ｍｍのくり抜き円に対応した三角切り欠き部と半径１１ｍｍの半円切り欠き部、
（７）半径ｒが１０ｍｍのくり抜き円に対応した三角切り欠き部と半径１２．５ｍｍの半円切り欠き部、
をそれぞれ作る事でクイリング定規の他の形態を作成する事が出来る。
【実施例】
【００１２】    以下図１のクイリング定規を用いたクイリングのパーツを作る１方法を説明する。
１  厚さ０．１ｍｍ、巾３ｍｍ、長さ２０ｃｍのテープ状の紙を巻く。巻いた紙の円状にしたものを水平に移動し、半径６ｍｍのくり抜き円２に収納（差し込む）する。
２  収納した紙をピンセットで取り出し、のりで止める、これで円の大きさのロールが出来る（通常ルーズロールという）。
３  このルーズロールを一辺１２ｍｍの狭角９０度の三角切り欠き部に入れ、ピンセットルーズロールを狭角の角に引っぱり９０度の角の固定する。
４  次に三角から飛び出した紙を平らなもの（定規のようなもの）で押さえる。それぞれの角をしっかりと鋭角を出す事により、きれいな直角二等辺三角形のパーツを作る事が出来る。
５  また、半円を作成の場合には上記で作ったルーズロールを三角切欠き部と同じ要領で半円切り欠き部に入れ、平らなもの（定規のようなもの）で押さえて作る事が出来る。【００１３】  図２のクイリング定規を用いる場合、くり抜き円のそれぞれの大きさにより、それぞれ紙の長さを調節し、上記１〜５の要領で所望の大きさの二等辺三角形と半円の各パーツを作る事が出来る。
【符号の説明】
【００１４】  １    クイリング定規
２    半径ｒのくり抜き円
２ａ  一辺２ｒで狭角９０度の三角切り欠き部
２ｂ  半径１．２〜１．３ｒの半円切り欠き部
３    クイリング定規
４    半径１０ｍｍのくり抜き円
４ａ  一辺２０ｍｍで狭角９０度の三角切り欠き部
４ｂ  半径１２．５ｍｍの半円切り欠き部
５    半径９ｍｍのくり抜き円
５ａ  一辺１８ｍｍで狭角９０度の三角切り欠き部
５ｂ  半径１１ｍｍの半円切り欠き部
６    半径８ｍｍのくり抜き円
６ａ  一辺が１６ｍｍで狭角９０度の三角切り欠き部
６ｂ  半径１０ｍｍの半円切り欠き部
７    半径６ｍｍのくり抜き円
７ａ  一辺が１２ｍｍで狭角９０度の三角切り欠き部
７ｂ  半径７．５ｍｍの半円切り欠き部
８    半径５ｍｍのくり抜き円
８ａ  一辺が１０ｍｍで狭角９０度の三角切り欠き部
８ｂ  半径６ｍｍの半円切り欠き部
９    半径４ｍｍのくり抜き円
９ａ  一辺が８ｍｍで狭角９０度の三角切り欠き部
９ｂ  半径５ｍｍの半円切り欠き部
１０    半径２．５ｍｍのくり抜き円
１０ａ  一辺が５ｍｍで狭角９０度の三角切り欠き部
１０ｂ  半径３．２５ｍｍの半円切り欠き部
【図１】
0003168648.tif 000003
【図２】
0003168648.tif 000004